(57)【要約】【課題】繰り返して使用できるリアスプロケット装着補助具を提供する。【解決手段】リアスプロケット装着補助具１０は、基準装着部１２と、第１装着部１４と、少なくとも一つの第１連結部１６と、位置決め部１８と、を備える。基準装着部１２は、位相の基準となる基準スプロケット２０に着脱可能に係合する。第１装着部１４は、基準スプロケット２０とは異なる第１スプロケット２２に着脱可能に係合する。少なくとも一つの第１連結部１６は、基準装着部１２と第１装着部１４とを連結する、位置決め部２０は、基準スプロケット２０と第１スプロケット２２との位相を合わせる。【選択図】図１
2017035926.tif 000002
【特許請求の範囲】
【請求項１】
位相の基準となる基準スプロケットに着脱可能に係合する基準装着部と、
前記基準スプロケットとは異なる第１スプロケットに着脱可能に係合する第１装着部と、
前記基準装着部と前記第１装着部とを連結する、少なくとも一つの第１連結部と、
前記基準スプロケットと前記第１スプロケットとの位相を合わせる位置決め部と、
を備える自転車用リアスプロケット装着補助具。
【請求項２】
前記基準スプロケットの回転中心軸心と平行な軸方向において、前記第１スプロケットが前記基準スプロケットから離反することを規制する当接部をさらに備える、請求項１に記載の自転車用リアスプロケット装着補助具。
【請求項３】
前記基準装着部は、前記基準スプロケットに弾性係合する係合部を有する、請求項１または２に記載の自転車用リアスプロケット装着補助具。
【請求項４】
前記基準装着部と前記第１装着部の少なくとも一方は環状である、請求項１から３のいずれか１項に記載の自転車用リアスプロケット装着補助具。
【請求項５】
前記位置決め部は、
前記基準スプロケットに当接する基準位置決め部と、
前記第１スプロケットに当接する第１位置決め部と、
を含む、請求項１から４のいずれか１項に記載の自転車用リアスプロケット装着補助具。
【請求項６】
前記基準スプロケットに対する前記第１スプロケットの装着方向を示唆する指標部をさらに備える、請求項１から５のいずれか１項に記載の自転車用リアスプロケット装着補助具。
【請求項７】
前記基準装着部、前記第１装着部、および前記第１連結部は、一体的に形成される単一の部材によって構成される、請求項１から６のいずれか１項に記載の自転車用リアスプロケット装着補助具。
【請求項８】
前記基準スプロケットは、前記第１スプロケットよりも歯数が多い、請求項１から７のいずれか１項に記載の自転車用リアスプロケット装着補助具。
【請求項９】
前記第１スプロケットよりも歯数が多く、かつ前記基準スプロケットよりも歯数が少ない第２スプロケットに着脱可能に係合する第２装着部と、
前記第１装着部と前記第２装着部と連結する少なくとも一つの第２連結部と、をさらに備える、請求項８に記載の自転車用リアスプロケット装着補助具。
【請求項１０】
前記基準装着部、前記第１装着部、および前記第２装着部の少なくとも一つは環状である、請求項９に記載の自転車用リアスプロケット装着補助具。
【請求項１１】
前記位置決め部は、
前記基準スプロケットに当接する基準位置決め部と、
前記第１スプロケットに当接する第１位置決め部と、
前記第２スプロケットに当接する第２位置決め部と、
含む、請求項９または１０に記載の自転車用リアスプロケット装着補助具。
【請求項１２】
前記基準スプロケットに対する前記第１スプロケットおよび第２スプロケットの装着方向を示唆する指標部をさらに備える、請求項９から１１のいずれか１項に記載の自転車用リアスプロケット装着補助具。
【請求項１３】
前記基準装着部、前記第１装着部、前記第１連結部、前記第２装着部、および前記第２連結部は、一体的に形成された単一の部材によって構成される、請求項９から１２のいずれか１項に記載の自転車用リアスプロケット装着補助具。
【請求項１４】
前記単一の部材は、弾性を有する材料によって製造される、請求項７または１３に記載の自転車用リアスプロケット装着補助具。
【請求項１５】
前記単一の部材は、金属製である、請求項１４に記載の自転車用リアスプロケット装着補助具。
【請求項１６】
前記単一の部材は、非金属製である、請求項１４に記載の自転車用リアスプロケット装着補助具。
【請求項１７】
前記単一の部材は、合成樹脂製である、請求項１６に記載の自転車用リアスプロケット装着補助具。
【請求項１８】
前記基準装着部は、前記基準スプロケットの外周部に係合し、
前記第１装着部は、前記第１スプロケットの外周部に係合する、請求項１に記載の自転車用リアスプロケット装着補助具。
【請求項１９】
前記基準装着部は、前記基準スプロケットの外周部に係合し、
前記第１装着部は、前記第１スプロケットの外周部に係合し、
前記第２装着部は、前記第２スプロケットの外周部に係合する、請求項９に記載の自転車用リアスプロケット装着補助具。
【発明の詳細な説明】
【技術分野】
【０００１】
本発明は、装着補助具、特に、自転車用リアスプロケットを自転車用リアハブに装着する際に使用される自転車用リアスプロケット装着補助具に関する。
【背景技術】
【０００２】
自転車のリアハブに装着される変速用のリアスプロケット組立体では、歯数が異なる複数のリアスプロケットが、リアスプロケット組立体の回転中心軸心と平行な軸方向に並べて配置される。リアスプロケット組立体では、各リアスプロケットのスプロケット歯の位相が異なる。このため、リアハブは、各リアスプロケットが特定の位相に装着できるように構成されるスプラインを有する。従来のリアスプロケット組立体において、複数のリアスプロケットを別々にリアハブに装着するのではなく、歯数が大きい複数のリアスプロケットを一体的に装着可能なものが知られている（特許文献１参照）。これによって、リアスプロケットのリアハブへの装着が容易になる。特許文献１のリアスプロケット組立体では、個別に装着する歯数が少ないリアスプロケットは、特定の位相に配置された状態で自転車用リアスプロケット装着補助具（以下、リアスプロケット装着補助具と記す）によって固定される。リアスプロケット装着補助具は、加熱すると収縮する熱収縮性を有する合成樹脂製である。これによって、歯数が少ないリアスプロケットのリアハブへの装着も容易になる。
【先行技術文献】
【特許文献】
【０００３】
【特許文献１】独国特許出願公開第１０２０１４０４５４１９号明細書
【発明の概要】
【発明が解決しようとする課題】
【０００４】
従来のリアスプロケット装着補助具では、熱収縮性を有する合成樹脂によって歯数が少ないリアスプロケットを固定し、リアスプロケットをリアハブに装着後に従来のリアスプロケット装着補助具を破くことによってリアスプロケットを使用状態にしているので、リアスプロケット装着補助具を再使用できない。
【０００５】
本発明の課題は、繰り返して使用できるリアスプロケット装着補助具を提供することにある。
【課題を解決するための手段】
【０００６】
本発明に係るリアスプロケット装着補助具は、基準装着部と、第１装着部と、少なくとも一つの第１連結部と、位置決め部と、を備える。基準装着部は、位相の基準となる基準スプロケットに着脱可能に係合する。第１装着部は、基準スプロケットとは異なる第１スプロケットに着脱可能に係合する。少なくとも一つの第１連結部は、基準装着部と第１装着部とを連結する。位置決め部は、基準スプロケットと第１スプロケットとの位相を合わせる。
【０００７】
このリアスプロケット装着補助具では、基準スプロケットを含む複数のスプロケットを、歯数の少ないスプロケットを上にして配置する。そして、複数のスプロケットと位相を合わせて第１スプロケットを複数のスプロケットの上に配置する。この状態で自転車用リアスプロケット装着補助具を装着すると、基準スプロケットに基準装着部が着脱可能に係合し、第１スプロケットに第１装着部が着脱可能に係合する。また、位置決め部によって基準プロケットと第１スプロケットとの位相が合う。ここでは、基準装着部および第１装着部が着脱可能であるので、リアスプロケット装着補助具を繰り返して使用できる。
【０００８】
リアスプロケット装着補助具は、基準スプロケットの回転中心軸心と平行な軸方向において、第１スプロケットが基準スプロケットから離反することを規制する当接部をさらに備えてもよい。この構成によれば、当接部によって、第１スプロケットが基準スプロケットから離反しなくなるので、第１スプロケットの装着状態を保持しやすい。
【０００９】
基準装着部は、基準スプロケットに弾性係合する係合部を有してもよい。この構成によれば、自転車用リアスプロケット補助具が基準装着部で基準スプロケットに保持され、リアスプロケット補助具が、基準スプロケットから外れにくくなる。
【００１０】
基準装着部と第１装着部の少なくとも一方は環状であってもよい。この構成によれば、環状に形成された基準装着部と第１装着部の少なくとも一方が、基準スプロケットと第１スプロケットの少なくとも一方の形状に合いやすくなり、位置決め部を構成しやすくなる。
【００１１】
位置決め部は、基準スプロケットに当接する基準位置決め部と、第１スプロケットに当接する第１位置決め部と、を含んでもよい。この構成によれば、基準スプロケットと第１スプロケットとがそれぞれ位置決めされるので、基準スプロケットに対して第１スプロケットの位相を合わせることができる。
【００１２】
リアスプロケット装着補助具は、基準スプロケットに対する第１スプロケットの装着方向を示唆する指標部をさらに備えてもよい。この構成によれば、自転車用リアスプロケット装着補助具を基準スプロケットに装着するとき、指標部によって、第１スプロケットを正確に配置することができ、リアスプロケット装着補助具を基準スプロケットに迅速に装着できる。
【００１３】
基準装着部、第１装着部、および第１連結部は、一体的に形成される単一の部材によって構成される。この構成によれば、自転車用リアスプロケット装着補助具が一体的に構成されるので、基準装着部を基準スプロケットに装着することによって、第１スプロケットを位置決めできる。
【００１４】
基準スプロケットは、第１スプロケットよりも歯数が多い。この構成によれば、歯数が多い大径の基準スプロケットを基準に位相を合わせることができるので、リアスプロケット装着補助具を基準スプロケットに装着しやすい。
【００１５】
リアスプロケット装着補助具は、第２装着部と、少なくとも一つの第２連結部と、をさらに備えてもよい。第２装着部は、第１スプロケットよりも歯数が多く、かつ基準スプロケットよりも歯数が少ない第２スプロケットに着脱可能に係合してもよい。少なくとも一つの第２連結部は、第１装着部と第２装着部と連結してもよい。この構成によれば、第１スプロケットおよび第２スプロケットの位相を基準スプロケットの位相に合わせることができる。また、基準装着部、第１装着部、および第２装着部が着脱可能であるので、リアスプロケット装着補助具を繰り返して使用できる。
【００１６】
基準装着部、第１装着部、および第２装着部の少なくとも一つは環状であってもよい。この構成によれば、環状に形成された基準装着部と第１装着部と第２装着部の少なくとも一方が、基準スプロケットと第１スプロケットと第２スプロケットの少なくとも一つの形状に合いやすくなり、位置決め部を構成しやすくなる。
【００１７】
位置決め部は、基準スプロケットに当接する基準位置決め部と、第１スプロケットに当接する第１位置決め部と、第２スプロケットに当接する第２位置決め部と、を含んでもよい。この構成によれば、基準スプロケットと第１スプロケットと第２スプロケットとがそれぞれ位置決めされるので、基準スプロケットに対して第１スプロケットおよび第２スプロケットの位相を合わせることができる。
【００１８】
自転車用リアスプロケット装着補助具は、基準スプロケットに対する第１スプロケットおよび第２スプロケットの装着方向を示唆する指標部をさらに備えてもよい。この構成によれば、自転車用リアスプロケット装着補助具を基準スプロケットに装着するとき、指標部によって、第１スプロケットおよび第２スプロケットを正確に配置することができ、自転車用リアスプロケット装着補助具を基準スプロケットに迅速に装着できる。
【００１９】
基準装着部、第１装着部、第１連結部、第２装着部、および第２連結部は、一体的に形成された単一の部材によって構成されてもよい。この構成によれば、自転車用リアスプロケット装着補助具が一体的に構成されるので、基準装着部を基準スプロケットに装着することによって、第１スプロケットおよび第２スプロケットを位置決めできる。
【００２０】
単一の部材は、弾性を有する材料によって製造されてもよい。この構成によれば、弾性を利用して基準スプロケットに基準装着部を容易に係合させることができる。
【００２１】
単一の部材は、金属製であってもよい。ここ構成によれば、リアスプロケット装着補助具の強度を高く維持でき、かつ強い弾性力を得ることができる。
【００２２】
単一の部材は、非金属製であってもよい。この構成によれば、リアスプロケット装着補助具の軽量化を図れる。
【００２３】
単一の部材は、合成樹脂製であってもよい。この構成によれば、一体成型等によって、リアスプロケット装着補助具を効率よく製造できる。
【００２４】
基準装着部は、基準スプロケットの外周部に係合し、第１装着部は、第１スプロケットの外周部に係合してもよい。この構成によれば、基準装着部および第１装着部を基準スプロケットと第１スプロケットとにそれぞれ係合させやすくなる。
【００２５】
基準装着部は、基準スプロケットの外周部に係合し、第１装着部は、第１スプロケットの外周部に係合し、第２装着部は、第２スプロケットの外周部に係合してもよい。この構成によれば、基準装着部、第１装着部および第２装着部を基準スプロケット、第１スプロケットおよび第２スプロケットに係合させやすくなる。
【発明の効果】
【００２６】
本発明によれば、繰り返して使用できる自転車用リアスプロケット装着補助具を提供できる。
【図面の簡単な説明】
【００２７】
【図１】本発明の第１実施形態によるリアスプロケット装着補助具をリアスプロケット組立体に装着した状態を示す正面図。
【図２】リアスプロケット組立体及び第１実施形態によるリアスプロケット装着補助具の分解斜視図。
【図３】第１実施形態によるリアスプロケット装着補助具の正面図。
【図４】第１実施形態によるリアスプロケット装着補助具の背面図。
【図５】第１実施形態によるリアスプロケット装着補助具の図３の切断線Ｖ−Ｖで切断した断面図。
【図６】リアスプロケット組立体及び第２実施形態によるリアスプロケット装着補助具の分解斜視図。
【図７】第２実施形態によるリアスプロケット装着補助具の正面図。
【図８】第２実施形態によるリアスプロケット装着補助具の背面図。
【発明を実施するための形態】
【００２８】
＜第１実施形態＞
図１及び図２において、本発明の第１実施形態に係るリアスプロケット装着補助具１０は、例えば９枚のリアスプロケットを有するリアスプロケット組立体６に装着される。リアスプロケット組立体６は、最小歯数のリアスプロケットである第１スプロケット２２と、三番目に歯数が少ない基準スプロケット２０と、を含む。したがって、基準スプロケット２０は、第１スプロケット２２よりも歯数が多い。リアスプロケット組立体６の第１スプロケット２２を除き、基準スプロケット２０を含む８枚のスプロケットは、一体的に固定され、第１スプロケット２２だけが８枚のリアスプロケットに対して分離可能である。また、リアスプロケット組立体６は、リアスプロケット組立体６をリアハブ（図示せず）に固定するための固定部材８ａと、ワッシャ８ｂと、を含む。各リアスプロケットの内周面には、図１に示すように、たとえば、８個のスプライン９ａと、周方向長さが異なる１個のスプライン９ｂとの、９個のスプラインが形成される。これによって、各スプロケットの位相を合わせることができる。
【００２９】
＜リアスプロケット装着補助具の構成＞
リアスプロケット装着補助具１０は、基準装着部１２と、第１装着部１４と、少なくとも一つの第１連結部１６と、位置決め部１８と、を備える。第１実施形態では、第１連結部１６は複数設けられる。複数の連結部１６は、好ましくは、２つから６つ設けられる。第１実施形態では、第１連結部１６は５つ設けられる。また、リアスプロケット装着補助具１０は、当接部３２と、指標部３４と、をさらに備える。リアスプロケット装着補助具１０は、基準装着部１２、第１装着部１４、第１連結部１６および当接部３２が一体的に形成される単一の部材によって構成される。リアスプロケット装着補助具１０は、好ましくは、ポルアセタール樹脂、４フッ化エチレン樹脂等の弾性を有する合成樹脂製の一体的に形成された部材である。
【００３０】
基準装着部１２は、位相の基準となる基準スプロケット２０に着脱可能に係合するように構成される。基準装着部１２は、図３及び図４に示すように、好ましくは、環状に形成される。基準装着部１２は、図３、図４及び図５に示すように、基準スプロケット２０に弾性係合する係合部４０を有する。係合部４０は、突起部４０ａと、突起部４０ａの両側に設けられる一対のスリット４０ｂと、を有する。突起部４０ａは、位置決め部１８の後述する基準位置決め部１８ａの端部に径方向内側に突出して形成される。一対のスリット４０ｂは、基準位置決め部１８ａの周方向の両側に切り欠いて形成される。一対のスリット４０ｂは、係合部４０を弾性変形しやすくするために設けられる。係合部４０は、基準スプロケット２０の一対のスプロケット歯の間に係合する。これによって、リアスプロケット装着補助具１０が、基準スプロケット２０に係合し、リアスプロケット組立体６から脱落しにくくなる。
【００３１】
第１装着部１４は、基準スプロケット２０とは異なる第１スプロケット２２に着脱可能に係合するように構成される。ここで使用される、用語“着脱可能”とは、リアスプロケット装着補助具が破損することなく、リアスプロケット装着補助具が装着対象物から複数回脱着を繰り返すことができること、を意味する。  第１装着部１４は、好ましくは、環状に形成される。第１装着部１４は、少なくとも一つ第１連結部１６、好ましくは、複数の第１連結部１６によって基準装着部１２と連結される。
【００３２】
位置決め部１８は、基準スプロケット２０と第１スプロケット２２との位相を合わせるように構成される。位置決め部１８は、基準スプロケット２０に当接する、好ましくは、複数の基準位置決め部１８ａと、第１スプロケット２２に当接する、好ましくは、複数の第１位置決め部１８ｂと、を含む。本実施例において、基準位置決め部１８ａは、基準装着部１２に３つ設けられる。基準位置決め部１８ａは、環状の基準装着部１２の内側面に径方向内側に突出して形成される。第１実施形態において、基準位置決め部１８ａは、好ましくは、基準スプロケット２０のスプロケット歯の間に当接する。
【００３３】
第１実施形態において、第１位置決め部１８ｂは、第１装着部１４に２つ設けられる。第１位置決め部１８ｂは、環状の第１装着部１４の内側面に径方向内側に突出して形成される。第１実施形態において、第１位置決め部１８ｂは、好ましくは、第１スプロケット２２のスプロケット歯の間に当接する。
【００３４】
第１連結部１６は、基準装着部１２と第１装着部１４とを連結するように構成される。第１連結部１６は、好ましくは、第１部分１６ａと、第２部分１６ｂと、を有する。第１部分１６ａは、基準装着部１２の内周部から基準スプロケット２０の回転中心軸心Ｘ１と平行に第１装着部１４に向けて軸方向に延びる。第２部分１６ｂは、第１部分１６ａから第１装着部１４に向けて径方向内側に延びる。
【００３５】
当接部３２は、基準スプロケット２０の回転中心軸心Ｘ１と平行な軸方向において、第１スプロケット２２が基準スプロケット２０から離反することを規制するように構成される。当接部３２は、好ましくは、第１装着部１４に連結される。当接部３２は、第１実施形態では、固定部材８ａに当接可能である。当接部３２は、固定部材８ａを介して第１スプロケット２２が基準スプロケット２０から離反することを規制する。
【００３６】
指標部３４は、基準スプロケット２０に対する第１スプロケット２２の装着方向を示唆するように構成される。具体的には、８個のスプライン９ａと周方向長さの異なるスプライン９ｂを目安にして、第１スプロケット２２を基準スプロケット２０の位相に合わせてリアスプロケット組立体６の残りのスプロケットに載置にした後に、リアスプロケット装着補助具１０の指標部３４をスプライン９ｂに合わせて、リアスプロケット装着補助具１０を基準スプロケット２０に装着する。
【００３７】
＜リアスプロケット装着補助具の装着動作＞
上記のように構成された第１実施形態によるリアスプロケット装着補助具１０を、リアスプロケット組立体６に装着する場合、第１スプロケット２２を、スプライン９ｂを指標にして残りのスプロケットに載置する。この状態で、指標部３４をスプライン９ｂに合わせ第１スプロケット側から装着する。これによって、基準位置決め部１８ａが基準スプロケット２０に係合し、かつ第１位置決め部１８ｂが第１スプロケット２２に係合する。さらに、基準装着部１２に設けられた係合部４０の突起部４０ａが、スプロケット歯の間で基準スプロケット２０に弾性係合する。これによって、リアスプロケット装着補助具１０が基準スプロケット２０から外れにくくなり、第１スプロケット２２の位相が基準スプロケット２０にあった状態が保持される。
【００３８】
リアハブにリアスプロケット組立体６を装着する場合、リアスプロケット組立体６をリアスプロケット装着補助具１０とともに持ってリアハブに装着する。このとき全てのリアスプロケットの位相があっているので、リアハブにスムーズに装着できる。装着が終わると、リアスプロケット装着補助具１０を外し、固定部材８ａをリアハブにねじ込んでリアスプロケット組立体６をリアハブに固定する。このとき外したリアスプロケット装着補助具１０は再使用が可能であり、繰り返して使用できる。
【００３９】
＜第２実施形態＞
第２実施形態以降の説明では、第１実施形態と同じ構成の部材は第１実施形態と同じ符号を付して、その説明を省略する。また、第２実施形態と構成は異なるが、第１実施形態と対応する部材は、第１実施形態の下２桁が同じ三桁の符号を付して説明する。
【００４０】
第２実施形態では、図６に示すように、リアスプロケット組立体１０６は、第１スプロケット２２及び第２スプロケット２４が他のスプロケットに対して分離可能に設けられる。したがって、第１スプロケット２２及び第２スプロケット２４を除く基準スプロケット２０を含む７枚のスプロケットは、一体的に固定される。第２スプロケット２４は、第１スプロケット２２よりも歯数が多く、かつ基準スプロケット２０よりも歯数が少ない。
【００４１】
＜リアスプロケット装着補助具の構成＞
第２実施形態のリアスプロケット装着補助具１１０は、図６、図７、及び図８に示すように、第１実施形態のリアスプロケット装着補助具１０に対して、第２装着部１１４と、少なくとも一つの第２連結部１１６と、をさらに備える。第２装着部１１４は、第２スプロケット２４を着脱可能に係合するように構成される。第２装着部１１４は、第１実施形態の第１連結部１６の第１部分１６ａによって構成される。
【００４２】
少なくとも一つの第２連結部１１６は、第１装着部１４と第２装着部１１４とを連結するように構成される。少なくとも一つの第２連結部１１６は、好ましくは、２つから６つ設けられる。第２実施形態では、第２連結部１１６は５つ設けられる。第２連結部１１６は、第１実施形態の第１連結部１６の第２部分１６ｂによって構成される。
【００４３】
位置決め部１１８は、好ましくは、複数の基準位置決め部１８ａと、好ましくは、複数の第１位置決め部１８ｂと、好ましくは、複数の第２位置決め部１１８ｃと、の３種の位置決め部を有する。第２位置決め部１１８ｃは、第２装着部１１４に好ましくは２つ設けられる。第２位置決め部１１８ｃは、第１位置決め部１８ｂと同様の形状であり、第２装着部１１４の内側面に径方向内側に突出して形成される。第２位置決め部１１８ｃは、好ましくは、第２スプロケット２４のスプロケット歯の間に当接する。
【００４４】
好ましくは、リアスプロケット装着補助具１１０は、第１実施形態と同じ当接部３２と、指標部３４と、をさらに備える。リアスプロケット装着補助具１１０は、基準装着部１２、第１装着部１４、第２装着部１１４、第１連結部１６、第２連結部１１６、および当接部３２が一体的に形成される単一の部材によって構成される。リアスプロケット装着補助具１１０は、好ましくは、ポルアセタール樹脂、４フッ化エチレン樹脂等の弾性を有する合成樹脂製である。
当接部３２は、基準スプロケット２０の回転中心軸心Ｘ１と平行な軸方向において、第１スプロケット２２及び第２スプロケット２４が基準スプロケット２０から離反することを規制するように構成される。当接部３２は、好ましくは、第１装着部１４に連結される。当接部３２は、第２実施形態では、固定部材８ａに当接可能である。当接部３２は、固定部材８ａを介して第１スプロケット２２及び第２スプロケット２４が基準スプロケット２０から離反することを規制する。
【００４５】
指標部３４は、基準スプロケット２０に対する第１スプロケット２２及び第２スプロケット２４の装着方向を示唆するように構成される。具体的には、８個のスプライン９ａと周方向長さの異なるスプライン９ｂを目安にして、第１スプロケット２２及び第２スプロケット２４を、基準スプロケット２０の位相に合わせてリアスプロケット組立体６の残りのスプロケットに載置にした後に、リアスプロケット装着補助具１１０の指標部３４をスプライン９ｂに合わせて、リアスプロケット装着補助具１１０を基準スプロケット２０に装着する。
【００４６】
＜リアスプロケット装着補助具の装着動作＞
上記のように構成された第２実施形態によるリアスプロケット装着補助具１１０を、リアスプロケット組立体６に装着する場合、第１スプロケット２２及び第２スプロケット２４を、スプライン９ｂを指標にして残りのスプロケットに載置する。この状態で、指標部３４をスプライン９ｂに合わせ第１スプロケット２２側から装着する。これによって、基準位置決め部１８ａが基準スプロケット２０に係合し、第１位置決め部１８ｂが第１スプロケット２２に係合し、かつ第２位置決め部１１８ｃが第２スプロケット２４に係合する。さらに、基準装着部１２に設けられた係合部４０の突起部４０ａが、スプロケット歯の間で基準スプロケット２０に弾性係合する。これによって、リアスプロケット装着補助具１１０が基準スプロケット２０から外れにくくなり、第１スプロケット２２及び第２スプロケット２４の位相が基準スプロケット２０にあった状態が保持される。
【００４７】
リアハブにリアスプロケット組立体６を装着する場合、リアスプロケット組立体６をリアスプロケット装着補助具１１０とともに持ってリアハブに装着する。このとき全てのリアスプロケットの位相があっているので、リアハブにスムーズに装着できる。装着が終わると、リアスプロケット装着補助具１１０を外し、固定部材８ａをリアハブにねじ込んでリアスプロケット組立体６をリアハブに固定する。このとき外したリアスプロケット装着補助具１１０は再使用が可能であり、繰り返して使用できる。
【００４８】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態および変形例は必要に応じて任意に組合せ可能である。
【００４９】
（ａ）上記実施形態では、基準位置決め部１８ａ、第１位置決め部１８ｂ、および第２位置決め部１１８ｃを複数設けたが、本発明はこれに限定されない。基準位置決め部１８ａ、第１位置決め部１８ｂ、および第２位置決め部１１８ｃは、少なくとも一つ設ければよい。
【００５０】
（ｂ）上記実施形態では当接部３２は間接的に第１スプロケット２２の移動を規制したが、本発明はこれに限定されない。当接部３２が第１スプロケット２２に直接接触して、第１スプロケット２２、或いは、第１スプロケト２２及び第２スプロケット２４の移動を規制してもよい。この場合、固定部材８ａとワッシャ８ｂは、リアスプロケット装着補助具によって、リアスプロケット組立体に保持されない。
【００５１】
（ｃ）上記実施形態では、分離するリアスプロケットが１つまたは２つであったが、３以上のリアスプロケットが分離する場合であっても本発明を適用できる。例えば、分離するリアスプロケットの数に応じて、装着部及び位置決め部の数を増やせばよい。
【００５２】
（ｄ）上記実施形態では、リアスプロケット装着補助具１０（または１１０）が非金属の合成樹脂製であったが、非金属は合成樹脂に限定されず、セラミック、または、木材であってもよい。また、アルミニウム、チタン、鉄などの金属製であってもよい。
（ｅ）上記第２実施形態では、第２装着部１１６は環状ではなかったが、第２装着部１１６が環状であってもよい。
【符号の説明】
【００５３】
１０、１１０    リアスプロケット装着補助具
１２    基準装着部
１４    第１装着部
１１４    第２装着部
１６    第１連結部
１１６    第２連結部
１８、１１８    位置決め部
１８ａ  基準位置決め部
１８ｂ  第１位置決め部
１１８ｃ  第２位置決め部
２０    基準スプロケット
２２    第１スプロケット
２４    第２スプロケット
３２    当接部
３４    指標部
４０    係合部
【図１】
2017035926.tif 000003
【図２】
2017035926.tif 000004
【図３】
2017035926.tif 000005
【図４】
2017035926.tif 000006
【図５】
2017035926.tif 000007
【図６】
2017035926.tif 000008
【図７】
2017035926.tif 000009
【図８】
2017035926.tif 000010